(57)【要約】ワイヤレス通信システムのための方法およびシステムは、スケジューリング許可をユーザ機器（ＵＥ）に伝送することと、ＵＥを構成可能時間オフセットで構成することとを提供する。本方法およびシステムはまた、スケジューリング許可をノードに伝送することと、ノードを構成可能時間オフセットで構成することとを提供する。ＵＥは、該スケジューリング許可によってスケジューリングされた通信を伝送または受信し、この通信の伝送または受信は、構成可能時間オフセットだけ、該スケジューリング許可を伝送することから遅れる。構成可能時間オフセットは、いくつかの実施形態では、ある整数の複数の直交周波数分割多重（ＯＦＤＭ）シンボルであり得、スケジューリング許可に基づいて、正規の開始時間に対してＵＥが通信を伝送または受信することを延期または調節する。
2017510113.tif 000002
【特許請求の範囲】
【請求項１】
ワイヤレス通信システムにおける方法であって、前記方法は、
スケジューリング許可をユーザ機器（ＵＥ）に伝送することと、
前記ＵＥを構成可能時間オフセットで構成することと、
前記ＵＥが前記スケジューリング許可によってスケジューリングされた通信を伝送または受信することと、
前記ＵＥが前記スケジューリング許可を伝送することから少なくとも前記構成可能時間オフセットだけ遅れた前記通信を伝送または受信することと
を含み、
前記ワイヤレス通信システムは、クロスノードシステムであり、前記スケジューリング許可を伝送することは、第１のノードによって行われ、前記ＵＥが通信を伝送または受信することは、前記通信が第２のノードを用いて行われることを含み、前記第１のノードと第２のノードとは、異なるノードである、方法。
【請求項２】
前記構成することは、前記第２のノードを前記構成可能時間オフセットで構成することをさらに含み、前記スケジューリング許可を伝送することは、前記スケジューリング許可を前記第２のノードに伝送することをさらに含む、請求項１に記載の方法。
【請求項３】
前記ＵＥを構成可能時間オフセットで構成することと、前記第２のノードを前記構成可能時間オフセットで構成することは、前記構成可能時間オフセットを前記スケジューリング許可内に含むことによって行われる、請求項２に記載の方法。
【請求項４】
前記構成することは、前記第２のノードを前記構成可能時間オフセットで構成することをさらに含み、バックホールリンクを経由して、前記スケジューリング許可を前記第２のノードに送信することをさらに含む、請求項１に記載の方法。
【請求項５】
前記構成可能時間オフセットは、前記スケジューリング許可内に含まれず、前記構成することは、複数の後続スケジューリング許可の間、前記ＵＥが前記構成可能時間オフセットで構成されていることを含む、請求項１に記載の方法。
【請求項６】
前記複数の後続スケジューリング許可の後、前記ＵＥを異なる構成可能時間オフセットで再構成することをさらに含む、請求項５に記載の方法。
【請求項７】
前記スケジューリング許可を通信するために使用されるバックホールの遅延を推定することによって、前記構成可能時間オフセットを決定することをさらに含む、請求項１に記載の方法。
【請求項８】
前記構成可能時間オフセットを決定することは、前記スケジューリング許可をデコードし、前記ＵＥが通信を伝送または受信することを準備するために必要とされる時間を推定することをさらに含む、請求項７に記載の方法。
【請求項９】
前記構成可能時間オフセットは、前記スケジューリング許可を通信するために使用されるバックホールの遅延の推定値と、前記スケジューリング許可をデコードし、前記ＵＥが通信を伝送または受信することを準備するために必要とされる時間の推定値とを含む、請求項１に記載の方法。
【請求項１０】
前記スケジューリング許可を前記第２のノードに送信することと、前記第２のノードを前記構成可能時間オフセットで構成することとをさらに含む、請求項１に記載の方法。
【請求項１１】
前記スケジューリング許可を伝送することは、前記通信の関連付けられた正規の開始時間を含み、前記構成することは、前記ＵＥが前記通信を伝送または受信することを前記正規の開始時間から延期させる、請求項１に記載の方法。
【請求項１２】
前記ワイヤレス通信システムは、周波数分割複信（ＦＤＤ）ワイヤレス通信システムを備え、前記通信は、ＵＬまたはＤＬ通信である、請求項１に記載の方法。
【請求項１３】
前記構成可能時間オフセットは、複数のサブフレームを表す整数を備えている、請求項１に記載の方法。
【請求項１４】
前記構成可能時間オフセットは、ある整数の伝送時間間隔（ＴＴＩ）、スロット、フレーム、またはシンボルである、請求項１に記載の方法。
【請求項１５】
前記構成可能時間オフセットは、複数の直交周波数分割多重（ＯＦＤＭ）シンボルを備えている、請求項１に記載の方法。
【請求項１６】
前記スケジューリング許可を伝送することに基づくスケジューリングされたＤＬ通信の正規の開始時間が、前記構成可能時間オフセットによって、ある整数のＯＦＤＭシンボルだけ延期される、請求項１に記載の方法。
【請求項１７】
前記スケジューリング許可は、前記ＵＥがＤＬデータ伝送を受信する予定であることを前記ＵＥに通知するダウンリンク（ＤＬ）許可である、請求項１に記載の方法。
【請求項１８】
前記通信は、アップリンク（ＵＬ）通信またはダウンリンク（ＤＬ）通信である、請求項１に記載の方法。
【請求項１９】
前記スケジューリング許可を伝送することと、前記ＵＥが通信を伝送または受信することは、同一キャリアを使用して生じ、前記方法は、前記第２のノードを前記構成可能時間オフセットで構成することをさらに含む、請求項１に記載の方法。
【請求項２０】
前記スケジューリング許可を伝送することと、前記ＵＥが通信を伝送または受信することは、異なるキャリアを使用して生じる、請求項１に記載の方法。
【請求項２１】
前記異なるキャリアは、時分割複信（ＴＤＤ）キャリアを備えている、請求項２０に記載の方法。
【請求項２２】
前記第２のノードは、前記第１のノードに、前記スケジューリング許可を伝送することと、前記ＵＥが前記スケジューリング許可によってスケジューリングされた通信を伝送または受信することとの間に、特定のオフセットまたはある範囲の追加のオフセットを使用することを要求する、請求項１９に記載の方法。
【請求項２３】
前記構成することは、無線リソース制御（ＲＲＣ）信号伝達を使用して行われる、請求項１に記載の方法。
【請求項２４】
前記構成することは、前記構成可能時間オフセットをダウンリンク制御情報（ＤＣＩ）内で伝送することを含む、請求項１に記載の方法。
【請求項２５】
前記ＵＥが前記通信を伝送または受信することは、前記スケジューリング許可を伝送することからＵＬ時間アドバンスだけさらに遅れている、請求項１に記載の方法。
【請求項２６】
前記スケジューリング許可は、前記通信のためのＵＬサブフレームを識別するＵＬインデックスをその中に含む、請求項１に記載の方法。
【請求項２７】
複数の追加のスケジューリング許可を複数のさらなるＵＥに伝送することをさらに含み、前記追加のスケジューリング許可は、同一ノードを用いて、前記さらなるＵＥが対応する通信を同時に伝送または受信するようにスケジューリングし、前記構成することは、前記複数のＵＥの各々が、前記構成可能時間遅延で構成されることを含む、請求項１に記載の方法。
【請求項２８】
ワイヤレス通信システムにおける方法であって、前記方法は、
スケジューリング許可をユーザ機器（ＵＥ）に伝送することと、
前記ＵＥを構成可能時間オフセットで構成することと、
前記ＵＥが前記スケジューリング許可によってスケジューリングされた通信を伝送または受信することと、
前記ＵＥが前記スケジューリング許可を伝送することから少なくとも前記構成可能時間オフセットだけ遅れた前記通信を伝送または受信することと
を含む、方法。
【請求項２９】
ワイヤレス通信システムにおける方法であって、前記方法は、
スケジューリング許可をユーザ機器（ＵＥ）に伝送することであって、前記スケジューリング許可を伝送することは、通信をスケジューリングし、前記通信に関連付けられた正規の開始時間を含む、ことと、
前記ＵＥを構成可能時間オフセットで構成することと、
前記ＵＥが前記通信を伝送または受信することと、
前記ＵＥが前記正規の開始時間から少なくとも前記構成可能時間オフセットだけオフセットされた前記通信を伝送または受信することと
を含む、方法。
【請求項３０】
前記構成することは、前記ＵＥが前記通信を伝送または受信することを前記正規の開始時間の前に生じさせる、請求項２９に記載の方法。
【請求項３１】
ワイヤレス通信システムにおける方法であって、前記方法は、
スケジューリング許可をユーザ機器（ＵＥ）およびノードに伝送することであって、前記スケジューリング許可を伝送することは、通信をスケジューリングし、前記通信に関連付けられた正規の開始時間を含む、ことと、
前記ＵＥおよび前記ノードを構成可能時間オフセットで構成することと、
前記ＵＥが、前記スケジューリング許可によってスケジューリングされた通信を伝送または受信することによって、前記ノードと通信することと、
前記ＵＥが前記正規の開始時間から少なくとも前記構成可能時間オフセットだけオフセットされて通信することと
を含む、方法。
【請求項３２】
前記スケジューリング許可を伝送することは、別のノードによって行われる、請求項３１に記載の方法。
【請求項３３】
前記構成することは、前記ＵＥが前記ノードと通信することを前記正規の開始時間の前に生じさせる、請求項３１に記載の方法。
【請求項３４】
前記スケジューリング許可を伝送することと、前記ＵＥが通信することとは、異なるキャリアを使用して生じる、請求項３１に記載の方法。
【請求項３５】
前記構成可能時間オフセットは、ある整数の伝送時間間隔（ＴＴＩ）、スロット、サブフレーム、フレーム、またはシンボルである、請求項３１に記載の方法。
【請求項３６】
前記スケジューリング許可を通信するために使用されるバックホールの遅延を推定することと、前記スケジューリング許可をデコードし、前記ＵＥが通信を伝送または受信することを準備するために必要とされる時間を推定することとによって、前記構成可能時間オフセットを決定することをさらに含む、請求項３１に記載の方法。
【請求項３７】
バックホールリンクを経由して、前記スケジューリング許可を前記ノードに送信することをさらに含む、請求項３１に記載の方法。
【請求項３８】
前記構成可能時間オフセットは、前記スケジューリング許可内に含まれず、前記構成することは、複数の後続スケジューリング許可の間、前記ＵＥが前記構成可能時間オフセットで構成されていることを含み、前記複数の後続スケジューリング許可の後、前記ＵＥを異なる構成可能時間オフセットで再構成することをさらに含む、請求項３１に記載の方法。
【請求項３９】
コンピュータ実行可能プログラムコードを備えている、非一過性コンピュータ読み取り可能な記憶媒体であって、前記プログラムコードは、プロセッサによって実行されると、ワイヤレス通信システムにおいて、ワイヤレス通信のための方法を行い、前記方法は、
スケジューリング許可をユーザ機器（ＵＥ）に伝送することと、
前記ＵＥを構成可能時間オフセットで構成することと、
前記ＵＥが前記スケジューリング許可によってスケジューリングされた通信を伝送または受信することと、
前記ＵＥが前記スケジューリング許可を伝送することから少なくとも前記構成可能時間オフセットだけ遅れた前記通信を伝送または受信することと
を含む、非一過性コンピュータ読み取り可能な記憶媒体。
【請求項４０】
前記方法は、前記構成することが前記ＵＥが前記通信を伝送または受信するノードを、前記構成可能時間オフセットで構成することをさらに含むことと、前記スケジューリング許可を前記ノードに伝送することをさらに含むこととを含む、請求項３９に記載の非一過性コンピュータ読み取り可能な記憶媒体。
【請求項４１】
前記ワイヤレス通信システムは、ロング・ターム・エボリューション（ＬＴＥ）ワイヤレス通信システムであり、前記構成可能時間オフセットは、ある整数の複数の直交周波数分割多重（ＯＦＤＭ）シンボルであり、前記スケジューリング許可を伝送することに関連付けられたスケジューリングされたＤＬ通信の正規の開始時間は、前記整数の複数のＯＦＤＭシンボルだけ延期される、請求項３９に記載の非一過性コンピュータ読み取り可能な記憶媒体。
【請求項４２】
前記構成可能時間オフセットは、ある整数の伝送時間間隔（ＴＴＩ）、スロット、サブフレーム、フレーム、またはシンボルである、請求項３９に記載の非一過性コンピュータ読み取り可能な記憶媒体。
【請求項４３】
前記方法は、前記スケジューリング許可を通信するために使用されるバックホールの遅延を推定することと、前記スケジューリング許可をデコードし、前記ＵＥが通信を伝送または受信することを準備するために必要とされる時間を推定することとによって、前記構成可能時間オフセットを決定することをさらに含む、請求項３９に記載の非一過性コンピュータ読み取り可能な記憶媒体。
【請求項４４】
前記構成可能時間オフセットは、複数のサブフレームまたは複数の直交周波数分割多重（ＯＦＤＭ）シンボルを表す整数を備えている、請求項３９に記載の非一過性コンピュータ読み取り可能な記憶媒体。
【請求項４５】
前記方法は、前記ＵＥを構成可能時間オフセットで構成することが、前記構成可能時間オフセットを前記スケジューリング許可内に含むことによって行われることを含む、請求項３９に記載の非一過性コンピュータ読み取り可能な記憶媒体。
【請求項４６】
前記ワイヤレス通信システムは、クロスノードシステムであり、前記スケジューリング許可を伝送することは、第１のノードによって行われ、前記ＵＥが通信を伝送または受信することは、前記通信が第２のノードを用いて行われることを含み、前記第１のノードと第２のノードとは、異なるノードであり、前記方法は、前記スケジューリング許可を前記第２のノードに伝送することと、前記第２のノードを前記構成可能時間オフセットで構成することとをさらに含む、請求項３９に記載の非一過性コンピュータ読み取り可能な記憶媒体。
【請求項４７】
前記ＵＥが通信を伝送または受信することは、前記スケジューリング許可を伝送することから固定時間遅延またはＵＬ時間アドバンスだけさらに遅れ、前記スケジューリング許可は、前記通信のためのＵＬサブフレームを識別するＵＬインデックスをその中に含む、請求項３９に記載の非一過性コンピュータ読み取り可能な記憶媒体。
【請求項４８】
前記方法は、前記構成することが、無線リソース制御（ＲＲＣ）信号伝達を使用して、または前記構成可能時間オフセットをダウンリンク制御情報（ＤＣＩ）に含むことによって行われることを含む、請求項３９に記載の非一過性コンピュータ読み取り可能な記憶媒体。
【請求項４９】
前記ワイヤレス通信システムは、クロスノード時分割複信（ＴＤＤ）システムであり、前記スケジューリング許可を伝送することは、第１のノードによって行われ、前記ＵＥが通信を伝送または受信することは、前記通信が第２のノードを用いて行われることを含み、前記第１のノードと第２のノードとは、異なるノードであり、前記スケジューリング許可を伝送することと、前記ＵＥが通信を伝送または受信することは、同一キャリアを使用して生じる、請求項３９に記載の非一過性コンピュータ読み取り可能な記憶媒体。
【請求項５０】
前記スケジューリング許可を伝送することは、前記スケジューリングされた通信の関連付けられた正規の開始時間を含み、前記構成することは、前記ＵＥが通信を伝送または受信することを前記正規の開始時間から延期させる、請求項３９に記載の非一過性コンピュータ読み取り可能な記憶媒体。
【請求項５１】
ワイヤレス通信システムであって、
スケジューリング許可をユーザ機器（ＵＥ）に伝送し、前記ＵＥを構成可能時間オフセットで構成するように構成されているノードと、
少なくとも前記構成可能時間オフセットによって決定された時間遅延後、前記スケジューリング許可によってスケジューリングされた通信を伝送または受信するように構成されている前記ＵＥと
を備えている、ワイヤレス通信システム。
【請求項５２】
前記ＵＥは、さらなるノードを用いて前記通信を伝送または受信するように構成され、前記ノードは、前記スケジューリング許可を前記さらなるノードに送信し、前記さらなるノードを前記構成可能時間オフセットで構成するようにさらに構成されている、請求項５１に記載のワイヤレス通信システム。
【請求項５３】
前記ノードは、前記構成可能時間オフセットを前記スケジューリング許可内に含むように構成されている、請求項５１に記載のワイヤレス通信システム。
【請求項５４】
前記構成可能時間オフセットは、いくつかの伝送時間間隔（ＴＴＩ）、スロット、サブフレーム、フレーム、またはシンボルを表す整数を備えている、請求項５１に記載のワイヤレス通信システム。
【請求項５５】
前記構成可能時間オフセットは、複数の直交周波数分割多重（ＯＦＤＭ）シンボルを備えている、請求項５１に記載のワイヤレス通信システム。
【請求項５６】
前記ワイヤレス通信システムは、クロスノードシステムであり、前記ＵＥは、さらなるノードを用いて、前記通信を伝送または受信するように構成されている、請求項５１に記載のワイヤレス通信システム。
【請求項５７】
前記ワイヤレス通信システムは、クロスキャリアスケジューリングシステムである、請求項５６に記載のワイヤレス通信システム。
【請求項５８】
前記ノードは、スケジューリング許可を伝送し、前記ＵＥを構成するように構成され、前記ＵＥは、前記通信を同一キャリア上で伝送または受信するように構成されている、請求項５６に記載のワイヤレス通信システム。
【請求項５９】
前記時間遅延は、前記構成可能時間オフセットと、固定時間遅延およびＵＬ時間アドバンスのうちの少なくとも１つとを備え、前記ノードは、ＵＬインデックスを前記スケジューリング許可内に含むようにさらに構成されている、請求項５１に記載のワイヤレス通信システム。
【請求項６０】
前記時間遅延は、前記構成可能時間オフセットを備えている、請求項５１に記載のワイヤレス通信システム。
【請求項６１】
ワイヤレス通信システムであって、
スケジューリング許可をユーザ機器（ＵＥ）およびさらなるノードに伝送するように構成されているノードと、
前記ＵＥを構成可能時間オフセットで構成するように構成されている、前記ノードおよび前記さらなるノードのうちの少なくとも１つと、
少なくとも前記構成可能時間オフセットによって決定された時間遅延後、前記スケジューリング許可によってスケジューリングされた通信を前記さらなるノードを用いて伝送または受信するように構成されている前記ＵＥと
を備えている、システム。
【発明の詳細な説明】
【技術分野】
【０００１】
（関連出願）
本願は、米国仮出願第６１／９２３，０７８号（２０１４年１月２日出願、名称「Ｍｅｔｈｏｄ  ａｎｄ  Ａｐｐａｒａｔｕｓ  ｆｏｒ  Ｃｒｏｓｓ−Ｎｏｄｅ  Ｓｃｈｅｄｕｌｉｎｇ  ｗｉｔｈ  Ｎｏｎ−Ｉｄｅａｌ  Ｂａｃｋｈａｕｌ」）に対する優先権を主張し、上記出願の内容は、参照によりその全体が記載されているかのように本明細書に明示的に援用される。
【背景技術】
【０００２】
ワイヤレス通信システムは、ダウンリンク（ＤＬ）および／またはアップリンク（ＵＬ）データ伝送において、複数のキャリアを有し得る。さらに、ユーザ機器（ＵＥ）は、複数のＤＬキャリア上でデータ伝送を同時に受信可能であり得る。これは、携帯電話、ポケベル、ワイヤレスノートパッド、コンピュータ、および種々の他のモバイル通信デバイスを含む、種々のユーザ機器（ＵＥ）タイプに該当する。ＵＥはまた、複数のＵＬキャリア上で同時に伝送可能であり得る。ＵＥによる複数のキャリア上での同時伝送／受信は、多くの場合、Ｄａｈｌｍａｎ，Ｐａｒｋｖａｌｌ，Ｓｋoｌｄ「４Ｇ  ＬＴＥ／ＬＴＥ−Ａｄｖａｎｃｅｄ  ｆｏｒ  Ｍｏｂｉｌｅ  Ｂｒｏａｄｂａｎｄ」（Ａｃａｄｅｍｉｃ  Ｐｒｅｓｓ、２０１１年）（その内容は、その全体として記載される場合と同様に、参照することによって本明細書に組み込まれる）に説明されるロング・ターム・エボリューション（ＬＴＥ）ネットワークにおいて等、キャリアアグリゲーション（ＣＡ）と呼ばれる。キャリアが、非理想的バックホールと接続されたノードによって取り扱われる場合のＵＥによる複数のキャリア上での同時伝送／受信は、ＬＴＥまたは他のワイヤレス通信システムの将来的リリースにおいて使用されるような二重接続の一種である。バックホールは、ノードと他のノードとの間だけではなく、また、ノードとコアネットワークおよびインターネットとの間の物理的ならびに／または論理的通信リンクとして説明され得る。物理的バックホールリンクは、種々の通信技術を使用して、例えば、シリアルまたはパラレルもしくは両方において、ファイバ、銅線、マイクロ波リンク、セルラーワイヤレスシステム等、または複数の通信技術の組み合わせを使用して実装され得る。
【０００３】
多くのワイヤレス通信システムでは、ネットワークは、少なくともある程度、データのＵＥ伝送および受信を制御し、これは、スケジューリングまたはリソース配分と称される。ネットワークは、ＤＬにおいて伝送され、ＵＥによって受信される許可によって、ＵＥにスケジューリング決定を通知する。ＤＬデータ伝送を受信する予定であることをＵＥに通知する許可は、ＤＬ許可と呼ばれ、ＵＬにおいてデータを伝送する予定であることをＵＥに通知する許可は、ＵＬ許可と呼ばれる。
【０００４】
多くのシステムでは、ＤＬ許可は、対応するＤＬデータ伝送が生じるものと同一キャリア上で伝送される。しかしながら、キャリアアグリゲーション（ＣＡ）ＵＥに対して、ＤＬ許可は、対応するＤＬデータ伝送が生じるキャリアと異なるキャリア上で伝送され得る。これは、クロスキャリアスケジューリングと称される。
【０００５】
周波数分割複信（ＦＤＤ）ワイヤレスシステムでは、ＵＬ許可は、対応するＵＬデータ伝送が生じるキャリアと異なるキャリア上で伝送され得る。これもまた、クロスキャリアスケジューリングの形態である。一方、時分割複信（ＴＤＤ）システムでは、ＵＬ許可は、典型的には、対応するＵＬ伝送が生じるであろう同一キャリア上で伝送される。しかしながら、ＴＤＤシステムにおけるキャリアアグリゲーション（ＣＡ）ＵＥに対して、ＵＬ許可は、対応するＵＬ伝送が生じるキャリアと異なるキャリア上で伝送され得る。これもまた、クロスキャリアスケジューリングと呼ばれる。
【０００６】
クロスキャリアスケジューリングはまた、前述に従って、または他の様式において、いくつかのキャリア上のＴＤＤおよび他のキャリア上のＦＤＤを用いて、混合ＴＤＤ−ＦＤＤシステムにおいても使用されることができる。
【０００７】
ＤＬ許可の伝送と対応するＤＬデータ伝送との間には、時間遅延が存在し得る。そのような時間遅延を最小限にすることは、ＤＬ許可が、多くの場合、どの変調および符号化方式が伝送において使用されるべきであるか等のリンク適応情報を含むので、リンク適応正確度を維持し得る。したがって、ＤＬ許可は、多くの場合、対応するＤＬデータ伝送と同時またはその直前に、伝送される。例えば、ＬＴＥでは、ＤＬ許可は、対応するＤＬ伝送（ＤＬ許可が物理的ダウンリンク制御チャネル（ＰＤＣＣＨ）上で伝送される場合）直前またはＤＬ伝送（ＤＬ許可が拡張ＰＤＣＣＨ（ｅＰＤＣＣＨ）上で伝送される場合）と同時に、伝送され得る。
【０００８】
ＵＬ許可に対して、ＵＬ許可の伝送および受信と、ＵＥが、最初に、ＵＬ許可を受信し、次いで、デコードし、その後、ＵＬ伝送を準備することを可能にする、ＵＥが対応するＵＬ伝送を開始することが予期される瞬間との間には、時間遅延が存在し得る。
【０００９】
前述の時間遅延は、固定時間遅延である。
【００１０】
ＬＴＥ  ＦＤＤ  ＵＬでは、固定時間遅延は、例えば、ＤＬにおけるＵＬスケジューリング許可と対応するＵＬ伝送との間の４サブフレームであり得る。しかしながら、ＬＴＥ  ＴＤＤ  ＵＬでは、ＴＤＤ構成および許可が受信されたＤＬサブフレームに応じて、スケジューリング許可から４サブフレーム後にＵＬサブフレームが存在しない場合があり、したがって、４サブフレームの固定時間遅延は、利用されることができない。ＴＤＤ構成は、無線フレーム内の１０サブフレームのうちのどれがＤＬ伝送のために使用され、どれがＵＬ伝送のために使用されるかを定義し得る。スケジューリング許可は、ＤＬサブフレームにおいてのみ伝送されることができる。いくつかのＴＤＤ構成では、ＤＬサブフレームにおけるＵＬスケジューリング許可から４サブフレーム後に生じるサブフレームもまた、ＤＬサブフレームであり、すなわち、ＵＬサブフレームではない。したがって、いくつかのＬＴＥシステム等のいくつかの例では、時間遅延は、単に、次のサブフレームの代わりに、次のＵＬサブフレームを参照したＵＬスケジューリング許可を含み得るが、この時間遅延は、ＬＴＥ  ＴＤＤのためのＬＴＥプロトコルにおいて規定され、したがって、ＴＤＤ構成内で固定され、構成可能ではない。
【００１１】
ＬＴＥ  ＴＤＤ構成０の例では、無線フレーム内にＤＬサブフレーム（４）より多くのＵＬサブフレーム（６）が存在するが、他の構成は、少なくともＵＬサブフレームと同じ数のＤＬサブフレームを有する。これは、ＵＬスケジューリング許可が受信されるとき、全ＵＬサブフレームが無線フレーム内の対応するＵＬ伝送のためにスケジューリングされることができないという問題をもたらし得る。この場合、２ビットＵＬインデックスが、ＬＴＥ  ＴＤＤ構成０に関してのみ、ＵＬスケジューリング許可に導入され得る。このＵＬインデックスは、ＵＬスケジューリング許可が参照する、２つの可能なＵＬサブフレームのうちのいずれか（または両方）を選択および識別するために使用され、すなわち、ＵＬ時間インデックスは、ＵＬスケジューリング許可内に含まれ得、ＵＬ時間インデックスによってＵＬスケジューリング許可内で識別／選択されたＵＬサブフレーム上の対応するＵＬ通信をスケジューリングする。２ビットインデックスは、具体的サブフレーム内のＵＬスケジューリング許可が、ＵＬインデックスの値に応じて、２つの異なるＵＬサブフレームをスケジューリングすることができるため、１対２のマッピングを提供し得る。
【００１２】
従来のワイヤレス通信システムは、高電力マクロ基地局を使用したセルラートポロジを使用し得る。しかしながら、現代のワイヤレス通信システムにおける傾向は、従来のセルラーマクロネットワークが低電力ノード（ＬＰＮ）を用いて補完される、異種ネットワーク（ＨｅｔＮｅｔ）に向かいつつある。ＬＰＮは、例えば、フェムト、ピコ、またはミクロ基地局、遠隔無線装置（ＲＲＨ）、もしくは中継器ノードであることができる。ＬＰＮは、例えば、高トラフィック需要が存在する場合に展開されることができる。ＬＰＮは、マクロネットワークと同一のキャリアもしくは複数のキャリア上で、異なるキャリアもしくは複数のキャリア上で、または同一および異なるキャリア上の両方で通信することができる。
【００１３】
マクロ基地局を用いた多くのセルラーシステムでは、基地局は、むしろ独立して動作する。異なる基地局によって動作させられるセル間のＵＥのハンドオーバ等、基地局間のある相互作用は、有用である。しかしながら、現代のワイヤレス通信システムにおける傾向は、ノード間のさらなる協調および相互作用に向かいつつあり、ノードは、例えば、マクロ基地局またはＬＰＮであることができる。協調は、例えば、ＬＴＥにおけるサブフレームレベルでは、例えば、比較的に高速であるか、または、例えば、数百ミリ秒のレベルでは、比較的に低速であり得る。高速協調は、低速協調より高い性能利得を提供し得る。
【００１４】
ノード間協調における要因の１つは、バックホールであり、バックホールを用いて、中央協調ユニットが位置するノードを含むノードが接続される。バックホールが、長時間および／またはジッタのある遅延を有する場合、高速協調を適切に行うことが困難であり得る。そのようなバックホールは、多くの場合、非理想的バックホールと呼ばれる。理想的バックホールは、非常に短い遅延および高データレートを有する。理想的対非理想的バックホール、または性能が低下しつつある理想的バックホールが非理想的バックホールになる時点についての概して容認された定義は、存在しない。理想的および非理想的バックホールは、本開示の目的のために以下に概して説明され得る。ノード、例えば、基地局内の異なるユニット間の通信性能（遅延、ジッタ、データレート等）は、典型的には、理想的と見なされる。共通公衆無線インターフェース（ＣＰＲＩ）規格を満たすバックホールは、通常、理想的と分類される。元々、ＣＰＲＩは、基地局内の異なるユニット（例えば、ベースバンドユニットおよび無線ユニット）を相互接続するために使用されていた。現在の傾向によると、ＣＰＲＩはまた、異なる物理的に分離されたノード内のユニット、例えば、１つのノード内の中央ベースバンドユニットと別のノード内の遠隔無線装置とを相互接続するために使用される。ある場合には、ＣＰＲＩのあるバージョンより劣る遅延および／またはスループットを伴う任意のバックホールは、非理想的バックホールと見なされる。別の観点から述べると、バックホールは、バックホールが、システム内の機能のいずれかにおいて、任意の有意な程度までの制限要因ではないとき、理想的と見なされる。換言すると、理想的バックホール性能は、バックホール性能の改善がシステム性能または機能性を有意な程度まで改善しないであろうほど十分に良好である。同様に、非理想的バックホールは、ある点において、性能または機能性を制限する。ある場合には、数百マイクロ秒またはそれを上回るレベルにおけるバックホール遅延は、非理想的と見なされる。しかしながら、理想的および非理想的バックホール間の区別は、典型的には、システム、プロトコル、要件、および他の関連システム要因に依存するであろう。
【００１５】
非理想的バックホール展開および他の問題に起因して、スケジューリング許可によってスケジューリングされたデータを伝送および／または受信するための改良された方法ならびにシステムが、クロスキャリアおよび他のシステムのために必要とされる。
【発明の概要】
【課題を解決するための手段】
【００１６】
本開示のいくつかのワイヤレス通信ネットワークでは、クロスノードスケジューリングが使用され、それによって、１つのノードは、ＵＥとの別のノードの通信をスケジューリングするスケジューリング許可を伝送する。いくつかの実施形態では、他のノードおよび／またはＵＥは、通信に関与する前に、スケジューリング決定を通知される。異なるノードは、ノード実装に応じて、スケジューリング決定の受信とスケジューリングされた通信の開始との間に異なる時間を必要とし得る。異なるノードは、ノードが通知される方法、例えば、非理想的バックホールを経由するかまたは無線インターフェースを経由するかに応じて、スケジューリング決定が伝送される時間と、受信される時間との間に異なる時間を必要とし得る。したがって、本開示によると、異なる時間遅延が、要求され得、異なるノードが情報を受信するために利用される。本開示の実施形態は、これらの目的に対処し、クロスノードおよび他のワイヤレス通信システムのために、スケジューリング許可の伝送／受信と、対応するスケジューリングされた伝送／受信の開始との間に構成可能時間オフセットを提供する。
【図面の簡単な説明】
【００１７】
本開示は、付随の図面と併せて熟読されるとき、以下の発明を実施するための形態から最も良く理解される。慣例に従って、図面の種々の特徴は、必ずしも、正確な縮尺ではないことを強調されたい。対照的に、種々の特徴の寸法は、明確にするために、恣意的に拡大または縮小され得る。同一番号は、明細書および図面全体を通して同一特徴を示す。
【００１８】
【図１】図１は、ワイヤレス通信システムの実施形態を示す。
【００１９】
【図２】図２は、クロスキャリアスケジューリングを使用する、ワイヤレス通信システムの実施形態を図示する。
【００２０】
【図３】図３は、クロスキャリアスケジューリングを使用する、ワイヤレス通信システムの実施形態を図示する。
【００２１】
【図４】図４は、クロスノードスケジューリングを使用する、ワイヤレス通信システムの実施形態を図示する。
【００２２】
【図５】図５は、スケジューリング許可の伝送または受信と、スケジューリングされた通信の開始との間の構成可能時間オフセットを図示する、略図である。
【発明を実施するための形態】
【００２３】
本開示の種々のワイヤレス通信システム実施形態では、ネットワークノードは、別のネットワークノードによって伝送されるダウンリンクを受信する。これは、ネットワークリスニングと称され得る。ネットワークリスニングの目的の１つは、別のノードからの時間および／または周波数同期を得ることである。ネットワークリスニングの別の目的は、無線インターフェースが、ロング・ターム・エボリューション（ＬＴＥ）システムにおける中継器において等、バックホールとしての役割を果たすことを可能にすることであり得る。ＬＴＥ中継器において、コアネットワークとのユーザデータおよび他の通信は、無線インターフェースを経由して、コアネットワークへの専用接続を有し得る、別のネットワークノードへおよびそこから転送される。ＬＴＥ中継器に対して、中継器によってサービス提供されるＵＥのスケジューリングおよびリソース配分は、中継器によって取り扱われ得、したがって、スケジューリング決定は、無線を経由して、ネットワークノードから中継器に転送されない。
【００２４】
いくつかの実施形態では、同期等のために、ノードは、共通信号／チャネル（すなわち、特定の受信機に専用ではない信号／チャネル）をリッスンする。中継器のため等、ワイヤレス通信システムのいくつかの実装では、ノードは、ノードに専用の信号／チャネルをリッスンする。ある意味では、ノードはまた、ＵＥとしの役割も果たす。
【００２５】
現代のワイヤレス通信システムにおける傾向は、マクロ基地局またはＬＰＮであり得るノード間のさらなる協調および相互作用に向かいつつある。ノード間のさらなる協調を実装する方法の１つは、エリア内のノードを協調させる中央協調ユニットを有することである。協調を実装するための別の方法は、エリア内の複数のノードにおいて並列動作する分散型アルゴリズムによるものである。いくつかの実施形態では、この協調は、例えば、ＬＴＥにおけるサブフレームレベルにおいてであり、比較的に高速であり、いくつかの実施形態では、協調は、例えば、数百ミリ秒のレベルであり、比較的に低速である。高速協調は、いくつかの実施形態では、低速協調より高い性能利得を提供し得る。
【００２６】
本開示は、限定ではないが、前述のものを含む、種々のワイヤレス通信システムに適用される。
【００２７】
いくつかの実施形態では、本開示は、複数のキャリアを用いて展開されるネットワークにおいて用途を見出し、いくつかのノードは、全キャリアを用いて展開されず、少なくともいくつかのノードは、非理想的バックホールと接続される。本開示は、ネットワーク内のノード間のバックホールリンクを主に考慮する。いくつかの実施形態では、キャリアは、ダウンリンクキャリアであり、いくつかの実施形態では、キャリアは、アップリンクキャリアである。いくつかの実施形態では、キャリアは、時分割複信（ＴＤＤ）キャリア、すなわち、ダウンリンクおよびアップリンクの両方が同一キャリア上にある。いくつかの実施形態では、キャリアは、ダウンリンク、アップリンク、および／またはＴＤＤキャリアの混合である。他の実施形態では、本開示は、種々の他のネットワークおよびワイヤレス通信システムにおいて用途を見出す。
【００２８】
ワイヤレス通信ネットワークの一部の実施形態は、図１に示される。図１では、ネットワーク１は、キャリアｆ１およびｆ２を含む複数のキャリアとともに配列される。ネットワーク１は、ロング・ターム・エボリューション（ＬＴＥ）および他のシステムを含む、種々のタイプのワイヤレス通信システムを表し、種々の実施形態では、追加のキャリアを含み得る。
【００２９】
ノード１および２は、図１の実施形態では、全キャリアを用いて展開されない。ノード１は、キャリアｆ１を用いて展開され、ノード２は、キャリアｆ２を用いて展開される。サービスエリア３および５の卵形形状は、キャリアｆ１ならびに２のサービスエリアを表す。サービスエリア３は、キャリアｆ２上のノード２によって対象とされ、また、キャリアｆ１上のノード１によっても対象とされる。サービスエリア５は、全場所において、キャリアｆ１上のノード１と、いくつかの場所において、キャリアｆ２上のノード２とによって対象とされる、すなわち、サービスエリア３は、サービスエリア５内にある。図１の実施形態では、ノード１および２は、前述の非理想的バックホール９を用いて接続される。ＵＥ７は、ノード１（キャリアｆ１上）のサービスエリア５の中にあり、ノード２（キャリアｆ２上）のサービスエリア３の中にもある。ＵＥ７は、携帯電話、ポケベル、ワイヤレスノートパッド、タブレット、コンピュータ、または種々の他のモバイル通信デバイスのいずれかを表し得る。
【００３０】
いくつかの実施形態では、ＵＥ７は、キャリアアグリゲーション（ＣＡ）、すなわち、複数のキャリア上での同時伝送および受信が可能である。図１では、ＵＥ７は、キャリアｆ１およびキャリアｆ２のキャリアアグリゲーション（ＣＡ）をサポートする。いくつかの実施形態では、ＵＥ７は、図１に示されるキャリアｆ１およびｆ２に加えたキャリアを含む、それがサポートする、複数の追加のキャリアのサービスエリア内にある。図１に示されるようないくつかのシステム実施形態では、異なるキャリア上のＵＥ７の送受信サービスは、非理想的バックホールを用いて接続される異なるノードによって提供される。図１では、ＵＥ７は、キャリアｆ１のサービスエリア５およびキャリアｆ２のサービスエリア３の両方内にあるが、異なるキャリア上の送受信サービスは、非理想的バックホール９によって接続されるノード１およびノード２の異なるノードによって提供される。
【００３１】
いくつかの実施形態では（図２に示されるであろうように）、本開示は、スケジューリングノードとしての役割を果たす１つのノードを提供し、スケジューリングノードは、有利には、スレーブノードとしての役割を果たす１つ以上の他のノードの伝送／受信をスケジューリングし、複数のスレーブノードの伝送／受信がスケジューリングノードによってスケジューリングされると、これは、通信が協調され、干渉を低減または排除し、それによって、性能を改良することを可能にする。
【００３２】
いくつかの実施形態では、スレーブノードは、それがサービス提供するＵＥに関するスケジューリング許可を通知される。いくつかの実施形態では、ＵＥへのスケジューリング許可は、スケジューリングノード（図２におけるノード１等）によって伝送され、スレーブノード（図２におけるノード２等）によって受信され、スレーブノードは、許可によってスケジューリングされるように、ＵＥとの後続通信を行う。いくつかの実施形態では、そのようなスケジューリング許可は、同様に図２に示されるバックホール９等のバックホールを経由して、スケジューリングノードからスレーブノードに送信される。いくつかの実施形態では、スケジューリング許可は、ワイヤレス通信システムの無線インターフェースを経由して、スケジューリングノードとスレーブノードとの間で通信される。いくつかの実施形態では、スケジューリング許可は、最初、スケジューリングノードと別のノードとの間のバックホールリンクを経由して、次いで、検討されるワイヤレス通信システムの無線インターフェースを経由して、スケジューリングノードとスレーブノードとの間で通信される。いくつかの実施形態では、無線インターフェースは、ＬＴＥワイヤレス通信システムにおける無線インターフェースである。いくつかの実施形態では、スレーブノードと通信するＵＥへのスケジューリング許可は、スケジューリングノードとは別のノードによって伝送される。この場合、スケジューリング許可は、例えば、バックホールリンクを経由して、スケジューリングノードからそれらを伝送するノードに転送され得る。一実施形態では、スレーブノードと通信するようにスケジューリングされたＵＥへのスケジューリング許可は、クロスキャリアスケジューリングを使用して、別のキャリアに伝送される。図２は、図１に示されるシステムの特徴に加えて、種々の前述の側面を示す。
【００３３】
図２では、キャリアｆ２上のノード２とＵＥ７との間のデータ伝送１３のスケジューリングは、スケジューリングノードによって行われる。ＵＥ７とスレーブノード（ノード２）との間の通信をスケジューリングするスケジューリング許可１１は、スケジューリングノードによって生成され、ＵＥ７およびスレーブノード（ノード２）によって受信される。スケジューリングノードは、いくつかの実施形態では、ノード１に位置し得るか、またはスケジューリングノードは、バックホール２１を経由して、スケジューリング許可をノード１に伝送するスケジューリングノード１５（破線に示される）等、バックホール２１を用いてノード１と接続される別個のノードに位置し得る。いくつかの実施形態では、スレーブノード（ノード２）との対応する後続のスケジューリングされた通信を行うＵＥ７へのスケジューリング許可１１は、スケジューリングノード（スケジューリングノード１５）と別のノード（ノード１）によって伝送される。図２の実施形態では、キャリアｆ２上のＵＥ７とノード２との間のデータ伝送１３のためのスケジューリング許可１１は、クロスキャリアスケジューリングを使用して、ノード１によって伝送される。スケジューリング許可１１は、キャリアｆ１上の無線インターフェースを経由して、ノード１によって伝送され、キャリアｆ１上のＵＥ７によって受信される。本実施形態は、スレーブノード（ノード２）と通信するようにスケジューリングされたＵＥ７へのスケジューリング許可１１が、キャリアｆ１上で受信される一方、対応するデータ伝送１３が、スケジューリングされたキャリア（キャリアｆ２）上で生じるので、クロスキャリアスケジューリングを使用する。同一または異なるスケジューリング許可１９が、非理想的バックホール９を経由して、ノード２に送信される。同一または異なるスケジューリング許可であり得る、スケジューリング許可は、概して、同一であり、ノード２およびＵＥ７の両方に送信される同一の重要な情報を含む。重要な情報は、限定ではないが、時間および周波数配分、変調および符号化方式、プリコーディングおよび他の伝送パラメータ等、スケジューリングされた通信に関与するために必要な情報を含む。
【００３４】
スケジューリング許可１９が非理想的バックホール９を経由してスレーブノード（ノード２）に送信されるある実施形態では、スケジューリングは、スレーブノード（ノード２）が、後続通信を行うために間に合うようスケジューリング許可を受信するように、対応するスケジューリングされた伝送が生じる充分前に事前に行われ得る。しかしながら、スケジューリングが伝送時または伝送直前の状況を考慮できないため、事前のスケジューリングは、時間の遅延が有意である場合、いくつかの短所を有し得る。例えば、無線チャネル特性（例えば、フェージング）およびデータバッファステータス、例えば、パケット到着および他の要因等、いくつかの側面は、スケジューリングの時間と対応する後の伝送との間で有意に変化し得る。本開示は、したがって、有利には、改良された性能のために、充分に伝送前の代わりに、特定のバックホール条件に基づいて、可能な限り伝送間際に行われるスケジューリング決定を提供する。
【００３５】
図３に示されるようないくつかの実施形態では、スケジューリング許可１１Ａ、１１Ｂは、スケジューリングノード（ノード１）とＵＥ７との間、または、スケジューリングノード１５から通信される。スケジューリング許可１１Ａ、１１Ｂはまた、ワイヤレス通信システムの無線インターフェースを経由して、例えば、ＬＴＥを経由して、スケジューリングノード（ノード１）またはスケジューリングノード１５と、スレーブノード（ノード２）との間でも通信される。（「スケジューリング許可１１Ａ、１１Ｂ」は、同一許可、すなわち、ノード１によって送信され、ＵＥ７およびノード２によって受信された伝送であって、説明の容易性のためだけに、複数の参照番号を使用して、個々に参照されることに留意されたい）。図３は、クロスノードスケジューリング、すなわち、１つのノードを用いてＵＥ通信を規定し、別のノードによって伝送される、スケジューリング許可を図示する。このクロスノードスケジューリングは、ネットワークリスニングの形態として見られ得、スケジューリング許可が、そうでなければ、図２の非理想的バックホール１９等の非理想的バックホールを経由して送信されたであろう場合、有用であり得る。非理想的バックホールを経由したスケジューリング許可伝送を回避し、代わりに、無線インターフェースを使用することによって、本開示は、スケジューリングと伝送との間の遅延が低減され得ることをもたらす。さらに、非理想的バックホールの遅延は、ジッタがあり、予測不能であり得る一方、無線インターフェースの遅延は、より予測可能かつ経時的に一定であり得る。
【００３６】
種々の実施形態では、スレーブノード（ノード２）は、図３に示されるように、同様に、ＵＥ７のために意図され、そこに送信されるスケジューリング許可１１Ｂを無線インターフェース、例えば、ＬＴＥを経由して受信およびデコードする。これは、スケジューリング許可１１ＡがＵＥ７に伝送されるため、無線インターフェースリソースの効率的使用を表す。図３のクロスノードスケジューリング実施形態では、スレーブノード（ノード２）は、図３の実施形態がＬＴＥネットワークであるとき、ＰＤＣＣＨまたはｅＰＤＣＣＨ上でそのスレーブノードへおよび／またはそこからの伝送についてのスケジューリング情報を受信し得る。これらのチャネルは、前述のように、ＬＴＥにおいてダウンリンクおよびアップリンクスケジューリング許可を搬送するために使用される。クロスキャリアスケジューリングが使用され、スケジューリング許可が、ＵＥとの通信のためにスレーブノードが使用するチャネル以外のキャリア上で伝送される、いくつかの実施形態では、スレーブノードは、スケジューリング許可が伝送されるキャリア上で同様に信号を受信することができる。これは、図３に示され、ノード２は、無線インターフェースを経由して、キャリアｆ１上のノード１によって伝送され、ＵＥ７によって受信される、スケジューリング許可１１Ｂを同様に受信するスレーブノードである。図３では、正規のクロスキャリアスケジューリング許可１１Ａ、１１Ｂは、キャリアｆ１上のノード１によってＵＥ７に伝送される。スケジューリング許可１１Ａ、１１Ｂは、キャリアｆ２上の通信、特に、スレーブノード（ノード２）とＵＥ７との間のデータ伝送１３に関する。図３では、ノード２は、ＵＥ７がスケジューリング許可１１Ａとして受信する、同一スケジューリング許可１１Ｂをキャリアｆ１上で同様に受信することによって、スケジューリング決定の知識を得る。
【００３７】
１つのノードとのＵＥ通信を規定し、別のノードによって伝送される、スケジューリング許可は、クロスノードスケジューリングと称され、図３は、クロスノードスケジューリングがクロスキャリアスケジューリングを使用して行われる、クロスノードスケジューリング実施形態を図示する。
【００３８】
別のネットワークアーキテクチャでは、クロスノードスケジューリングは、単一キャリア上で行われ、すなわち、クロスキャリアスケジューリングは、使用されず、ＵＥは、スケジューリング許可をキャリア周波数上で１つのノードから受信し、許可は、スケジューリング許可伝送のために使用されるものと同じキャリア周波数上で別のノード（スレーブノード）とのＵＥ通信をスケジューリングする。
【００３９】
図４は、単一キャリア上で行われるクロスノードスケジューリング実施形態と、クロスキャリアスケジューリングを使用して行われるクロスノードスケジューリング実施形態の両方を対象とする。
【００４０】
図４に関連して説明されるように、単一キャリア上で行われる、いくつかのクロスノードスケジューリング実施形態では、スケジューリング許可は、ノードによって伝送され、ＵＥによって受信され、正常にデコードされる。許可は、別のノード、すなわち、スレーブノードとのＵＥ通信をスケジューリングする。スレーブノードはまた、スケジューリング許可内に反映されるスケジューリング決定の知識を受信し、スケジューリング許可が指す同一キャリア上で、スケジューリング許可が向けられたＵＥによって受信およびデコードされるスケジューリング許可をデコードする。いくつかの実施形態では、これは、スケジューリング許可を搬送する信号が、受信され、正常にデコードされ得るように、スレーブノードが、ある瞬間および／または周波数の間、伝送を中断することを可能にすることによって、達成される。スケジューリングは、種々の実施形態では、許可を伝送するノードにおいて、または別のノードによって、行われる。スケジューリング許可は、それがスケジューリングするものと異なるキャリア上で伝送され得るか、またはそれがスケジューリングするものと同一キャリア上で伝送され得る。
【００４１】
図４は、前述のように、クロスノードスケジューリングを使用したシステム配列を表す。クロスノードスケジューリングが使用される場合、スケジューリングおよびスケジューリング許可１１Ａ、１１Ｂの伝送は、スレーブノード、すなわち、ＵＥ７とのスケジューリングされたデータ通信２９を行うノード２によってではなく、ノード１によって行われる。
【００４２】
図４は、図３に類似するが、２つのキャリアが、それぞれのサービスエリア２５、２７を伴う、「キャリアｘ」および「キャリアｙ」として表される。単一キャリア上で行われるクロスノードスケジューリング実施形態では、キャリアｘは、キャリアｙと同一であり、クロスキャリアスケジューリングを使用して行われるクロスノードスケジューリング実施形態では、キャリアｘは、キャリアｙと同一ではない。ノード１は、前述のスケジューリング許可１１Ａ、１１Ｂとして識別されたスケジューリング許可を伝送する。スケジューリング許可１１Ａは、ＵＥ７によって受信され、スケジューリング許可１１Ｂは、ノード２によって受信される。スケジューリング許可１１Ａ、１１Ｂは、ＵＥ７とスレーブノードであるノード２との間の通信２９をスケジューリングする。通信は、ＤＬまたはＵＬ通信であり得る。スケジューリング許可１１Ａ、１１Ｂは、キャリアｘ上で伝送され、キャリアｙ上のスケジューリングされた通信に関する。ノード２は、同一スケジューリング許可１１Ｂを同様に受信することによって、スケジューリング決定の知識を得る。スケジューリングは、許可を伝送したノードにおいて、または別のノードによって、行われ得る。いくつかの実施形態では、スレーブノード（ノード２）によってサービス提供されるＵＥ７へのスケジューリング許可は、スケジューリングノード（例えば、スケジューリングノード１５）と別のノード、例えば、（ノード１）によって伝送される。
【００４３】
クロスノードスケジューリングが使用されるとき、スケジューリングおよびスケジューリング許可１１Ａ、１１Ｂの伝送は、ＵＥ７とのスケジューリングされたデータ通信２９を行うスレーブノードである、ノード２によってではなく、ノード１によって行われる。
【００４４】
クロスノードスケジューリングのいくつかの実施形態が存在し、そのうちのいくつかは、前述されている。スレーブノード（ノード２）は、図２に示される非理想的バックホール９等の非理想的であり得る、バックホールを経由して、または図３に示されるスケジューリング許可１１等の無線インターフェースを経由して、スケジューリング決定を通知され得、無線インターフェースは、ＵＥ通信のために使用されるものと同一無線インターフェースであり得る。
【００４５】
多くの場合、許可の伝送および／または受信と対応するデータ伝送との間には、固定時間遅延が存在し、この固定時間遅延は、通常、標準化プロトコルに規定される。例えば、ＬＴＥにおけるＤＬ許可等のいくつかの実施形態では、時間遅延は、ＤＬスケジューリング許可伝送と対応するＤＬデータ伝送との間でゼロである。一実施例として、ＬＴＥ  ＦＤＤにおけるＵＬ許可等のためのいくつかの実施形態では、固定時間遅延は、ＵＬ許可受信と対応するＵＬ伝送との間で約４ｍｓであり得るが、他の固定時間遅延が、他の実施形態では使用される。
【００４６】
再び、図４を参照すると、ある場合には、固定時間遅延は、スレーブノード（例えば、ノード２）がスケジューリング許可（例えば、スケジューリング許可１１Ｂ）を受信する瞬間と、スレーブノードがＵＥ７との対応する通信２９を行うべき瞬間との間で十分ではない。
【００４７】
固定時間遅延は、典型的には、ＬＴＥ等の標準化プロトコルにおいて、いくつかの実施例におけるようにＵＬ、ＤＬ、ＦＤＤ、および／またはＴＤＤ等の通信モードに関して規定され、したがって、標準化プロトコルを使用して全対応する通信に有効である。例えば、ＬＴＥでは、ＦＤＤ  ＵＬのための１つの固定時間遅延と、ＦＤＤ  ＤＬのための別の固定時間遅延とが存在する。固定された時間遅延は、そのモード内で構成不可能であり、個々の許可および対応する通信のために個別に扱われない。本開示は、スケジューリング許可の特定の伝送および／または受信と対応するスケジューリングされたデータ伝送との間の時間遅延を調節するために使用され得る、構成可能時間オフセットを提供する。本開示の構成可能時間オフセットは、適応または構成されることができない固定時間遅延と区別される。構成可能時間遅延を用いることによって、スケジューリング決定と対応する伝送との間の時間遅延は、最小に保たれることができる。さらに、構成可能時間オフセットは、スケジューリング許可をスレーブノードに送信するために使用される非理想的バックホールの遅延に起因して、固定時間遅延を用いることによってスケジューリングされることが全くできなかったスレーブノードとの通信をスケジューリングすることを可能にする。
【００４８】
本開示の構成可能時間オフセットはまた、前述のようなＬＴＥ  ＴＤＤ構成０専用のＵＬスケジューリング許可内に含まれるＵＬインデックスとも区別される。ＵＬインデックスは、ＬＴＥ  ＴＤＤ構成０例において、スケジューリング許可によってスケジューリングされた通信の伝送のためのＵＬサブフレームの選択／識別に限定され、構成可能時間オフセットではない。本開示の構成可能時間オフセットは、本開示の構成可能時間オフセットが、一歩先んじており、非理想的バックホールに関するクロスノードスケジューリングの問題に対処し、広範囲を伴う構成可能時間オフセットを提供し、それは、種々のワイヤレス通信システムならびにＵＬおよびＤＬ通信に適用可能であるため、このＵＬインデックスと異なる。ＵＬインデックスは、これらの関心事に対処せず、ＴＤＤ構成に応じて、１または固定数のサブフレームのみ識別する。本開示の構成可能時間オフセットは、バックホール遅延等の観点から、特定の条件に合うように、時間オフセットの増減両方を行うための手段を提供し、すなわち、構成可能時間オフセットであり、ＴＤＤ  ＤＬ、ＦＤＤ  ＵＬ、およびＦＤＤ  ＤＬ通信に適用可能であるため、異なる範囲を有する。いくつかの実施形態では、本開示の構成可能時間オフセットは、ＬＴＥ  ＴＤＤ構成０における伝送のためのＵＬサブフレームを選択／識別するために使用される、ＵＬインデックスと組み合わせて使用され得る。いくつかの実施形態では、図２−４におけるスケジューリング許可１１および１１Ａ等のスケジューリング許可は、ＵＬインデックスを含み得る。いくつかの実施形態では、本開示の構成可能時間オフセットは、１無線フレーム（１０サブフレームおよび１０ｍｓに等しい）の倍数だけ、ＵＬスケジューリング許可と対応するＵＬ伝送との間の時間を増加させる。
【００４９】
ＤＬ許可に対して、スレーブノードは、有利には、最初に、スケジューリング許可を受信およびデコードする。いくつかの実施形態では、ＤＬデータ伝送はまた、あるさらなる準備時間を要求し得、すなわち、ＤＬデータ伝送は、準備されるための追加の時間から利益を享受し得る。ＵＬ許可に対して、スレーブノードは、スケジューリング許可を受信およびデコードし、次いで、ＵＬ受信機は、オンにされるか、または対応するＵＬ伝送を受信するように構成されるべきである。
【００５０】
ＬＴＥおよび他のシステムでは、本開示は、スレーブノードがＬＴＥ無線インターフェースまたは他のバックホールを経由してＤＬ許可を受信する方式を実装および利用するために、ＤＬスケジューリング許可の受信とスケジューリングされたＤＬ伝送の開始との間に十分な時間を提供する。ＬＴＥ  ＵＬ通信に対して、ＵＬ許可の受信とスケジューリングされたＵＬ伝送の開始との間の十分な時間が、提供され、スレーブノードがＬＴＥ無線インターフェースまたは他のバックホールを経由してＵＬ許可を受信する方式の実装を可能にする。本開示の方法およびシステムは、そのような時間オフセットを提供する。前述の時間オフセットを達成するために、本開示の実施形態は、スケジューリング許可の伝送および／または受信と対応するスケジューリングされたデータ伝送および／または受信との間に構成可能時間遅延を提供する。
【００５１】
そのような構成可能時間遅延オフセットの実施形態は、図５に図示される。
【００５２】
種々のシステム実施形態では、前述のスケジューリング許可伝送／受信と対応するスケジューリングされた伝送の開始との間の固定の既知の時間遅延は、図５における「正規の時間遅延」５９を確立するか、またはその中に含まれ、前述のように、標準化プロトコルにおけるあるモード、例えばＵＬ  ＦＤＤの全通信に適用される。いくつかのＵＬシステム、例えばロング・ターム・エボリューションＵＬシステムでは、この正規の時間遅延５９は、ＵＬ許可の受信と対応する伝送のスケジューリングされた開始との間に時間遅延を提供する。そのような固定時間遅延の目的は、スケジューリング許可と対応する伝送との間に合理的時間遅延を提供し、許可受信、デコード、および通信準備のための十分な時間を提供することである。
【００５３】
本発明は、固定時間遅延と区別される、すなわち、図５の「正規の時間遅延」５９の固定時間遅延と区別される、構成可能時間オフセットを提供する。本発明の構成可能時間オフセットは、一歩先んじ、オフセットは、スレーブノードに、スケジューリング許可の受信と通信の開始との間に十分な時間をもたらす。いくつかの実施形態では、本開示の構成可能時間オフセットは、１００〜１００００ミリ秒等の数マイクロ秒であるが、他の時間オフセットも、他の実施形態では、使用される。この時間オフセットは、図５に示される構成可能オフセット６１として示される。
【００５４】
構成可能時間オフセット６１は、ＵＬ時間アドバンス等、ＬＴＥシステムにおけるオフセットと区別される。構成可能時間オフセット６１は、完全に異なる機能を果たし、ＵＬ時間アドバンスと完全に異なる時間スケールを有する。例えば、本開示の構成可能時間オフセットは、ＬＴＥにおけるＵＬ時間アドバンスよりはるかに大きい。例えば、ＵＬ時間アドバンスは、ノードではなく、そのＵＬ伝送時間を調節するＵＥのみに送信される。構成可能時間オフセット６１は、ＵＬおよびＤＬ通信の両方に適用される一方、ＵＬ時間アドバンスは、アップリンクのみに関する。
【００５５】
ＵＬ時間アドバンスに対して、異なるＵＥから伝送される異なるＵＬ信号は、受信ノードに同時に到着するはずである。伝搬遅延、すなわち、基本的には、ＵＥとノードとの間の距離は、異なるＵＥ間で異なるので、その個々のＵＬ伝送タイミングは、個々の（構成可能）ＵＬ時間アドバンスコマンドによって調節され得る。時間アドバンスが加算／減算される、基準ＵＬタイミングは、ＵＥにおいて受信されたＤＬ信号から抽出され得る。ＵＬを同一ノードに同時に伝送する異なるＵＥは、典型的には、異なる伝搬遅延を有するため、異なるＵＬ時間アドバンスを有する。同一ノードに伝送する異なるＵＥ間の時間アドバンス差は、伝搬距離の差に依存するが、典型的には、数マイクロ秒またはそれ未満である。時間アドバンスは、典型的には、サンプルもしくはチップの数またはシステムのための最小時間単位において測定され、システム帯域幅に依存し得る。
【００５６】
対照的に、本開示の種々の実施形態による、構成可能時間オフセット６１は、ＵＥへのＵＬ許可の伝送／受信と対応する伝送／受信が開始する時間との間の遅延を表す。この構成可能時間オフセット６１は、スケジューリング許可を受信し、ＵＬ（前図におけるスレーブノード）と通信するノードが、スケジューリング許可を受信およびデコードし、ＵＬ伝送のために準備するためにちょうど十分な時間を有することを確実にする。この種類の遅延に対して、同一ノードへのＵＬ伝送のために同時にスケジューリングされた異なるＵＥは、典型的には、それらが全て、同一ノードが受信するために準備されるのを待つので、同一時間オフセットで構成され、これは、構成可能時間オフセット６１を、例えば、ＵＬ時間アドバンスと区別する。本開示の構成可能時間オフセット６１は、バックホール遅延、許可デコード時間、および受信準備に関連する時間遅延を提供する。これは、典型的には、数十マイクロ秒から数十ミリ秒の範囲であり得る。構成可能時間オフセット６１は、伝送時間間隔（ＴＴＩ）、スロット、サブフレーム、フレーム、もしくはシンボルの数において、または他の好適な測定値において測定され得る。本開示の構成可能時間オフセット６１は、そのような通信のために必要な時間遅延を提供するために、スケジューリング許可を通信するために使用されるバックホールの遅延の推定値と、スケジューリング許可をデコードし、ＵＥが通信を伝送または受信を準備するために要求される時間の推定値とに基づいて、導出され得る。
【００５７】
いくつかの実施形態では、非構成可能ＵＬ時間アドバンスおよび構成可能時間オフセット６１の２つの時間オフセットが、ＵＥにおいて一緒に追加されることができ、時間調節部分（ＵＬ時間アドバンス）は、複数のＵＥからの信号を受信機側において一致させるために使用される一方、本開示の構成可能時間オフセットは、受信ノードの受信準備ができるまで、全てのこれらのＵＥからの伝送を遅延させるために使用される。
【００５８】
図５では、構成可能時間オフセット６１は、スケジューリング許可５５と対応する通信、すなわち、スケジューリングされた通信６３の構成可能開始との間で、正規の時間遅延５９に追加される。正規の時間遅延５９は、伝送のために使用される通信規格によって規定されるような固定時間遅延に基づき得る。正規の時間遅延５９はまた、前述のように、ＵＬまたは他の時間アドバンスオフセットを含み得る。いくつかのＬＴＥ  ＴＤＤ構成０実施形態では、構成可能時間オフセット６１は、正規の開始時間６５を決定するために使用され得る、ＵＬインデックスと併用される。構成可能時間オフセット６１を用いない場合、正規の開始時間６５（種々の実施形態では、ＵＬまたはＤＬ通信であり得る、スケジューリングされた通信の正規の開始）は、正規の時間遅延５９のみだけ、スケジューリング許可５５からオフセットされる。
【００５９】
構成可能時間オフセット６１は、以下に説明されるように、種々の様式において、ＵＥおよび／またはスレーブノードに伝送される。構成可能時間オフセット６１の提供によって、スレーブノードは、最初に、例えば、非理想的バックホールを経由して、または無線インターフェースを経由して、スケジューリング許可を適切に受信し、次に、通信を準備するために十分な時間を有するであろう。余分の時間が必要とされる種々のＤＬ実施形態では、スレーブノードは、概して、正規の時間遅延５９がもたらすものより多くの時間を要求する。なぜなら、多くの場合、遅延が非常に短く、スレーブノードは、符号化、インタリービング、変調、フィルタリング、ベースバンドから中間周波数または無線周波数への変換、デジタル／アナログ変換等を含むＤＬ伝送の準備を必要とするからである。構成可能時間オフセット６１は、この追加の時間を提供する。
【００６０】
種々の実施形態では、構成可能時間オフセット６１の範囲は、スケジューリング許可を通信するために使用されるバックホールの遅延を推定し、加えて、許可をデコードし、データ伝送および／または受信の準備をするために要求される時間を推定することによって、決定される。いくつかの実施形態では、２つの推定値は、組み合わせられ、構成可能時間オフセット６１を導出する。種々の実施形態では、構成可能時間オフセット６１の範囲は、構成可能時間オフセットが不十分であり、通信停止をもたらした場合と、構成可能時間オフセットが十分であった場合との履歴報告に基づいて、決定および適応される。構成可能時間オフセット６１は、種々の実施形態では、種々の他の様式において決定され、スケジューリングされた通信の正規の開始時間に追加される。ＵＥは、無線インターフェースを経由して、ネットワークによって、構成可能時間オフセットを通知される。ＵＥは、種々の実施形態では、ネットワークの種々のノードによって、構成可能時間オフセット６１を通知され得る。いくつかの実施形態では、スレーブノードは、構成可能時間オフセット６１を決定し、他のノードに通知し得、他の実施形態では、スケジューリングノードが、構成可能時間オフセット６１を決定し、他のノード等に通知する。他の実施形態では、他のネットワークノードが、構成可能時間オフセット６１を決定し、その他のネットワークノードおよびＵＥに通知する。
【００６１】
種々のＬＴＥ実施形態では、構成可能時間オフセット６１は、スケジューリングされた伝送が、正規の開始時間６５に対して、ある整数のサブフレームだけ延期されるように、複数のサブフレーム以内にある。整数は、正または負であり得る。種々の実施形態では、構成可能時間オフセット６１は、複数のサブフレームを表す整数である。種々の実施形態では、構成可能時間オフセット６１は、伝送時間間隔（ＴＴＩ）、スロット、サブフレーム、フレーム、またはシンボルの数で測定される。いくつかのＬＴＥ実施形態では、構成可能時間オフセット６１は、複数の直交周波数分割多重（ＯＦＤＭ）シンボル以内にある。一実施形態では、ネットワークが、「Ｘ」（「Ｘ」は、例えば、１、２、または３である）に等しい制御フォーマットインジケータ（ＣＦＩ）で構成される場合、物理的ダウンリンク共有チャネル（ＰＤＳＣＨ）を使用したスケジューリングされたＤＬ通信の正規の開始６５は、ＤＬ許可が受信された同一サブフレーム内のＯＦＤＭシンボルＸ＋１においてである。
【００６２】
一実施形態では、ＣＦＩ＝１である場合、スケジューリングされた伝送の正規の開始時間６５は、後続シンボル、すなわち、サブフレーム内の第２のシンボル、すなわち、スケジューリング許可の直後のシンボルにおいてである。しかしながら、本開示の種々の実施形態によると、スケジューリングされたＤＬ通信の正規の開始６５は、ある整数のＯＦＤＭシンボルだけ延期され、スケジューリングされた通信は、正規の開始時間６５ではなく、スケジューリングされた通信６３の構成可能開始において生じる。開示されるシステムおよび方法を使用して、伝送は、正規の開始時間６５より遅れて、例えば、サブフレーム内の第４のシンボルにおいて、スケジューリングされた通信６３の構成可能開始において開始されることができるが、他の整数のサブフレーム、すなわち、複数のサブフレームが、他の実施形態では、構成可能時間オフセット６１のために使用される。言い換えると、構成可能時間オフセット６１は、スケジューリング許可を搬送するサブフレームの第１のシンボルである、ＯＦＤＭシンボル直後のＯＦＤＭシンボルより遅いスケジューリングされた通信の開始をもたらす。
【００６３】
時間遅延をスケジューリングされた通信の構成可能開始６３にオフセットすることによって、本開示は、スレーブノードが、最初に、５５においてスケジューリング許可を受信し、次いで、伝送が開始すべき前に伝送を準備することを可能にする。種々の実施形態では、スケジューリング許可の伝送に関連付けられた正規の開始時間が存在し、構成可能時間オフセット６１は、ＵＥがスケジューリングされた通信を伝送または受信することを延期させる。
【００６４】
種々のＬＴＥおよび他の実施形態では、構成可能時間オフセット６１は、負の整数または他の値によって表される。本実施形態では、構成可能時間オフセットは、ＵＥに、正規の開始時間６５前に通信を伝送または受信させる。本実施形態では（図５には図示せず）、スケジューリングされた通信の構成可能開始６３は、構成可能時間オフセット６１が負の値であるとき、正規の開始時間６５の前に生じる。
【００６５】
種々の実施形態では、本開示は、スケジューリング許可の伝送および／または受信とスケジューリングされた伝送および／または受信との間の追加のオフセットでＵＥを構成するネットワークを提供する。オフセットは、構成可能時間オフセットが、図５における正規の時間遅延５９等の正規または固定の時間遅延に加えた時間オフセットであるため、「追加のオフセット」と称される。
【００６６】
いくつかの実施形態では、本開示は、複数の伝送の各々に対して、スケジューリング許可の伝送および／または受信とスケジューリングされた伝送および／または受信との間の追加のオフセットで、数百ミリ秒または他の時間フレームにわたって複数の伝送のためにＵＥを構成するネットワークを提供する。
【００６７】
いくつかの実施形態では、本開示は、ＬＴＥネットワークを提供し、ＬＴＥネットワークは、スケジューリング許可の伝送および／または受信と無線リソース制御（ＲＲＣ）信号伝達を使用したスケジューリングされた伝送および／または受信との間の追加のオフセットでＵＥを構成する。他のＬＴＥネットワークでは、他の手段が、スケジューリング許可の伝送および／または受信とスケジューリングされた伝送および／または受信との間の追加のオフセットでＵＥを構成するために使用される。
【００６８】
いくつかの実施形態では、本開示は、単一スケジューリング許可の伝送および／または受信とスケジューリングされた伝送および／または受信との間の追加のオフセットで、単一許可のためにＵＥを構成するネットワークを提供する。いくつかの実施形態では、ネットワークは、ＵＥに伝送されるスケジューリング許可または別のスケジューリング許可にオフセットを含むことによって、スケジューリング許可の伝送および／または受信とスケジューリングされた伝送および／または受信との間の追加のオフセットでＵＥを構成する。
【００６９】
いくつかの実施形態では、構成可能オフセットは、スケジューリング許可自体には含まれない。代わりに、ＵＥおよびスレーブノードは、構成されたオフセットが再構成されるまで有効であるように、構成可能時間オフセットで構成され（前述のＬＴＥ  ＲＲＣ構成例等）、すなわち、構成は、複数の後続スケジューリング許可に有効である。いくつかの実施形態では、構成可能時間オフセットは、スケジューリング許可自体には含まれず、ＵＥは、複数の後続スケジューリング許可のための構成可能時間オフセットで構成される。いくつかの実施形態では、ＵＥは、複数の後続スケジューリング許可後、異なる構成可能時間オフセットで再構成される。
【００７０】
本開示のいくつかの実施形態では、ＬＴＥネットワークは、ダウンリンク制御情報（ＤＣＩ）内にオフセットを含むことによって、スケジューリング許可の伝送および／または受信とスケジューリングされた伝送および／または受信との間の追加のオフセットでＵＥを構成する。
【００７１】
いくつかの実施形態では、本開示は、別のネットワークノード（例えば、前述のノード１またはノード２の他方）をスケジューリング許可の伝送および／または受信とスケジューリングされた伝送および／または受信との間の追加のオフセットで構成するネットワークノード（例えば、前述のノード１またはノード２）を提供する。種々の実施形態では、これは、ネットワークがＵＥを追加の時間オフセットで構成することに加えて生じ得る。いくつかの実施形態では、本開示は、ＵＥおよび別のネットワークノードの両方をスケジューリング許可の伝送および／または受信とスケジューリングされた伝送および／または受信との間の追加のオフセットで構成する、ネットワークノードを提供する。
【００７２】
本開示のいくつかの実施形態では、ネットワークノードは、別のネットワークノードに、スケジューリング許可の伝送および／または受信とスケジューリングされた伝送および／または受信との間に具体的またはある範囲の追加のオフセットを使用することを要求する。いくつかの実施形態では、要求は、図１−４におけるノード２等のスレーブノードによって、スケジューリング許可を伝送するノード、例えば、図１−４におけるノード１またはスケジューリングノード１５等のスケジューリングノードに行われ得る。いくつかの実施形態では、要求は、スケジューリングを行うノード、例えば、スケジューリングノード（図１−４におけるノード１またはスケジューリングノード１５等）によって、図１−４におけるノード２等のスレーブノードに行われる。本開示のいくつかの実施形態では、要求は、スケジューリング許可を伝送するノード（図１−４におけるノード１またはスケジューリングノード１５等）によって、図１−４におけるノード２等のスレーブノードに行われる。
【００７３】
用語「例示的」は、「実施例または例証としての役割を果たす」ことを意味するために本明細書で使用される。「例示的」として、本明細書に説明される任意の側面または設計は、必ずしも、他の側面または設計より好ましいもしくは有利であると解釈されるものではない。
【００７４】
前述は、単に、本開示の原理を図示する。したがって、当業者は、本明細書に明示的に説明または図示されないが、本開示の原理を具現化し、その精神および範囲内に含まれる、種々の配列を考案可能であろうことを理解されたい。さらに、本明細書に列挙される全ての実施例および条件付き言語は、主に、教育上の目的のためのものにすぎず、読者が、発明者らによって寄与される本開示の原理および概念を理解し、当該技術分野を促進するのを支援することを明示的に意図し、そのような具体的に列挙される実施例および条件に限定されるものと解釈されるものではない。
【００７５】
本発明の１つ以上の実施形態が前述されたが、一例として提示されるにすぎず、限定ではないことを理解されたい。同様に、種々の図または略図は、本開示のための例示的構造もしくは他の構成を描写し得、これは、本開示に含まれ得る特徴および機能性を理解することを支援するために行われるものである。本開示は、図示される例示的アーキテクチャまたは構成に制限されず、種々の代替構造および構成を使用して実装されることができる。
【００７６】
本書に説明される機能のうちの１つ以上のものは、適切に構成されるモジュールによって行なわれてもよい。用語「モジュール」は、本明細書で使用される場合、ハードウェア、ファームウェア、ソフトウェアおよびソフトウェアを実行する任意の関連付けられたハードウェア、および本明細書に説明される関連付けられた機能を行うためのこれらの要素の任意の組み合わせを指し得る。加えて、種々のモジュールは、個別のモジュールであることができる。しかしながら、当業者に明白であろうように、２つ以上のモジュールが、本発明の種々の実施形態による関連付けられた機能を果たす、単一モジュールを形成するために組み合わせられ得る。
【００７７】
加えて、本書に説明される機能のうちの１つ以上のものは、概して、メモリ記憶デバイスまたは記憶ユニット等の媒体を指すために本明細書で使用される、「コンピュータプログラム製品」、「非一過性コンピュータ読み取り可能な媒体」、「非一過性コンピュータ読み取り可能な記憶媒体」等内に記憶される、コンピュータプログラムコードを用いて行われ得る。これらおよび他の形態のコンピュータ読み取り可能な媒体は、プロセッサによって使用され、プロセッサに規定された動作を行なわせるための１つ以上の命令の記憶に関与し得る。そのような命令は、概して、実行されると、コンピューティングシステムが所望の動作を行うことを可能にする、「コンピュータプログラムコード」（コンピュータプログラムまたは他の群化の形態で群化され得る）と称される。
【００７８】
明確にする目的のために、前述の説明が、異なる機能ユニットおよびプロセッサを参照して本発明の実施形態を説明していることを理解されるであろう。しかしながら、異なる機能ユニット、プロセッサ、またはドメイン間の機能性の任意の好適な分散が、本発明から逸脱することなく、使用され得ることが明白であろう。例えば、別個のユニット、プロセッサ、またはコントローラによって行われるように例証される機能性は、同一ユニット、プロセッサ、またはコントローラによって行われ得る。故に、具体的機能ユニットの参照は、厳密な論理または物理構造もしくは変性を示すのではなく、説明される機能性を提供するための好適な手段の参照にすぎないと見なされる。
【図１】
2017510113.tif 000003
【図２】
2017510113.tif 000004
【図３】
2017510113.tif 000005
【図４】
2017510113.tif 000006
【図５】
2017510113.tif 000007
【国際調査報告】
2017510113.tif 000008
2017510113.tif 000009